(57)【要約】      （修正有）【課題】利用者が携帯する汎用の携帯情報端末を用いて公共交通決済及び降車案内サービスを提供する安価で信頼性のあるシステムを構築する。【解決手段】複数の交通事業者が保有する車両の運行管理等を実行するサーバと、サーバと通信可能な車載装置と、交通事業者及び車両を識別するために車両に貼付されたＩＤタグと、車両の利用者が携帯しサーバと通信可能な携帯情報端末で構成される公共交通システム１であって、車載装置は、車両の現在位置を知るための位置情報取得手段を備える。サーバは、ＩＤタグの情報から交通事業者及び車両を特定する車両特定部と、車両の位置情報から乗車停留所及び降車停留所を特定する停留所特定部と、乗車停留所及び降車停留所情報から乗車料金を計算する乗車料金計算部と、登録された利用者の口座情報を記憶する口座情報記憶部と、口座情報を基に決済を実行する決済実行部を備える。携帯情報端末は、ＩＤタグ読取手段を備える。【選択図】図１
2020161137.tif 000002
【特許請求の範囲】
【請求項１】
複数の交通事業者が保有する車両の運行管理、決済サービス等各種サービスを実行するサーバと、
前記車両に搭載されネットワークを介して前記サーバと通信可能な車載装置と、
前記交通事業者及び前記車両を識別するために前記車両に貼付されたＩＤタグと、
前記車両の利用者が携帯し前記ネットワークを介して前記サーバと通信可能な携帯情報端末と、から構成される公共交通システムであって、
前記車載装置は、
前記車両の現在位置を知るための位置情報取得手段を備え、
前記サーバは、
前記ＩＤタグの情報から前記交通事業者及び前記車両を特定する交通車両特定部と、
前記位置情報取得手段により取得した前記車両の現在位置情報から乗車停留所及び降車停留所を特定する停留所特定部と、
乗車停留所および降車停留所情報から乗車料金を計算する乗車料金計算部と、
登録された利用者の口座情報を記憶する口座情報記憶部と、
前記利用者の前記口座情報を基に決済を実行する決済実行部と、を備え、
前記携帯情報端末は、
前記ＩＤタグの情報を読み取るＩＤタグ読取手段を備えたことを特徴とする公共交通システム。
【請求項２】
前記ＩＤタグは、紙などにプリントしたＱＲコードであることを特徴とする請求項１に記載の公共交通システム。
【請求項３】
前記ＩＤタグは、ＢＬＥ（Ｂｌｕｅｔｏｏｔｈ  Ｌｏｗ  Ｅｎｅｒｇｙ）ビーコン、または、紙などに埋め込まれたＮＦＣ（Ｎｅａｒ  Ｆｉｅｌｄ  Ｃｏｍｍｕｎｉｃａｔｉｏｎ）であることを特徴とする請求項１に記載の公共交通システム。
【請求項４】
前記位置情報取得手段はＧＰＳ（全地球測位システム）であることを特徴とする請求項１ないし３のいずれか１項に記載の公共交通システム。
【請求項５】
前記サーバは、乗降車停留所設定手段および降車停留所監視手段をさらに備えたことを特徴とする請求項１ないし４のいずれか１項に記載の公共交通システム。
【発明の詳細な説明】
【技術分野】
【０００１】
本発明は、交通機関の乗車料金決済および降車案内サービスを提供するシステムに関する。特に利用者の携帯情報端末を利用した乗車料金決済および降車案内サービスを提供するシステムに関する。
【背景技術】
【０００２】
近年、交通機関の決済にはFelica（登録商標）チップなどを埋め込んだ非接触型ＩＣカード利用が普及してきている。また、スマートフォンなどの携帯情報端末にＩＣカードを組み込んだタイプの利用も増えてきている（特許文献１参照）。
【０００３】
これらのＩＣカード情報の読み書きには、専用のＩＣカード  リーダ・ライタが必要であり、駅の改札口などに設置されている。
【先行技術文献】
【特許文献】
【０００４】
【特許文献１】特開２０１８−０５５６６９号公報
【発明の概要】
【発明が解決しようとする課題】
【０００５】
バスや路面電車などの交通機関の決済においてもＩＣカード利用が増えてきているが、車内へのＩＣカード  リーダ・ライタ等の設備投資が必要であり、交通事業者にとって非常な重荷ともなっており、地方の交通事業者は対応できていないことも多い。
【０００６】
一方、車内サイネージを整備し対象交通機関がどの路線を通り、どの停留所に停まるかを予め情報発信するようなシステムを構築したとしても、外国人並びにその土地に不慣れな交通機関の利用者は自分が降車すべき停留所が分からないという事態が発生する。
【０００７】
本発明は、かかる事情に鑑みてなされたものであり、車両の運行管理用として設置された車載装置の他には新たな設備投資を必要とせず、また利用者が保有携帯する携帯情報端末も汎用タイプを用いることにより安価で信頼性の高い決済および降車案内システムを提供することを目的としている。
【０００８】
本発明の公共交通の決済システムにおいては、利用者はあらかじめ本システムに対し必要な個人情報、口座情報を登録しておき、サーバがこれらの情報を記憶管理する。利用者が乗降車時に、携帯する携帯情報端末を車両に貼付されたＩＤタグにかざす（タッチする）と携帯情報端末はＩＤタグ読取手段によりＩＤタグ情報を読み取る。サーバは、利用者の携帯情報端末との通信により、ＩＤタグ情報から交通事業者ＩＤ、車両ＩＤを取得し、また車載装置との通信により車載装置の位置情報取得手段により得られた車両の現在位置情報とサーバ内に記憶管理する路線情報データとから乗車停留所及び降車停留所を特定し、乗車料金の計算を行う。利用者が携帯する携帯情報端末に決済情報確認メッセージを送信し、その後、利用者の登録情報および口座情報に基づいて決済処理を実行する。
ＩＤタグとは、交通事業者及び保有する車両を一意に特定するための識別子（ＩＤ：Identification）情報を含む紙などの媒体の札である。車両に貼付して用いる。交通事業者ＩＤは、公共交通サービスを提供する交通事業者を一意に特定するための識別子（ＩＤ）である。車両ＩＤは、交通事業者が保有する車両を一意に特定するための識別子（ＩＤ）であり、ナンバープレート番号などを含む。
【０００９】
ＩＤタグとしては、紙にプリントしたＱＲコード（登録商標）やＢＬＥ（Ｂｌｕｅｔｏｏｔｈ（登録商標）  Ｌｏｗ  Ｅｎｅｒｇｙ）のビーコン信号、またはＮＦＣ（Ｎｅａｒ  Ｆｉｅｌｄ  Ｃｏｍｍｕｎｉｃａｔｉｏｎ）を車両に貼付して用いることができる。
【００１０】
利用者が保有携帯する汎用の携帯情報端末を用いて車両に安価に設置できるＩＤタグの情報を読み取ることで交通事業者および車両を特定し、利用者により登録された口座情報を用いて交通機関の乗車料金の決済を行うシステムは見当たらない。
【００１１】
また、本発明の降車案内システムにおいては、利用者は、あらかじめ乗車前に、携帯する携帯情報端末を用いてサーバとの通信により乗車停留所及び降車停留所さらに降車時のアラーム音鳴動等を設定しておく。この時、サーバは、利用者に対し、路線情報、乗車料金、所要時間、時刻表などの付加情報を提供することができる。利用者は、乗車時に携帯情報端末を用いてＩＤタグを読み取る。サーバは、車両が利用者の降車停留所に近接すると、車載装置の位置情報取得手段により得られた車両の現在位置情報からそれを検知し、利用者の携帯情報端末と通信して、携帯情報端末にアラーム音を鳴動させるとともに降車案内情報を表示する。
【００１２】
本発明の目的は、車両に搭載する車載装置に新たな投資を要することなく利用者が携帯する汎用の携帯情報端末を用いて公共交通の乗車料金決済および降車案内サービスなどを提供する安価で信頼性のあるシステムを構築できるようにすることである。
【課題を解決するための手段】
【００１３】
請求項１に記載の発明は、複数の交通事業者が保有する車両の運行管理、決済サービス等各種サービスを実行するサーバと、前記車両に搭載されネットワークを介して前記サーバと通信可能な車載装置と、前記交通事業者及び前記車両を識別するために前記車両に貼付されたＩＤタグと、前記車両の利用者が携帯し前記ネットワークを介して前記サーバと通信可能な携帯情報端末と、から構成される公共交通システムであって、前記車載装置は、前記車両の現在位置を知るための位置情報取得手段を備え、前記サーバは、前記ＩＤタグの情報から前記交通事業者及び前記車両を特定する交通車両特定部と、前記位置情報取得手段により取得した前記車両の位置情報から乗車停留所及び降車停留所を特定する停留所特定部と、乗車停留所および降車停留所情報から乗車料金を計算する乗車料金計算部と、登録された利用者の口座情報を記憶する口座情報記憶部と、前記利用者の前記口座情報を基に決済を実行する決済実行部と、を備え、前記携帯情報端末は、前記車両に貼付された前記ＩＤタグの情報を読み取るＩＤタグ読取手段を備えたことを特徴とする公共交通システムとした。
【００１４】
請求項２に記載の発明は、前記ＩＤタグは、紙などにプリントしたＱＲコードであることを特徴とする。
【００１５】
請求項３に記載の発明は、前記ＩＤタグは、ＢＬＥビーコン、または、紙などに埋め込まれたＮＦＣであることを特徴とする。
【００１６】
請求項４に記載の発明は、前記位置情報取得手段はＧＰＳ（全地球測位システム）であることを特徴とする。
【００１７】
請求項５に記載の発明は、前記サーバは、乗降車停留所設定手段および降車停留所監視手段をさらに備えたことを特徴とする。
【発明の効果】
【００１８】
本発明によれば、車両にはＩＣカードリーダ・ライタ等の車載設備投資を必要とすることなく、安価な紙にプリントしたＱＲコード、ＢＬＥビーコン、ＮＦＣなどからなるＩＤタグを車両の乗車口および運賃箱付近に貼付するだけでよく安価に決済システムを構築することができる。
【００１９】
また、車載装置に搭載されたＧＰＳ等による位置情報取得手段によって得られた車両の現在位置情報と、利用者が携帯する携帯情報端末を用いて読み取ったＩＤタグの情報とから交通事業者、車両、乗降停留所を特定することができ停留所設備などを必要としないので安価で信頼性の高い決済システムを構築することができる。
【００２０】
また、利用者が携帯する携帯情報端末には、ＩＣカードなどを搭載する必要がなく、汎用の携帯情報端末を用いるので、安価な決済システムを構築することができる。
【００２１】
また、利用者が携帯する携帯情報端末には、口座情報などの決済に必要な情報を保持せず、サーバで記憶管理するので、携帯情報端末の紛失などに対しても安全な決済システムを構築することができる。
【００２２】
また、利用者が携帯する携帯情報端末を用いて、乗降車停留所を設定し、車載装置に搭載されたＧＰＳ等による位置情報取得手段によって得られた車両の現在位置情報を用いて降車停留所を検知し、携帯情報端末に降車案内情報を表示できるので車内サイネージなどを用いることなく安価な降車案内システムを構築することができる。
【００２３】
また、ＩＤタグとしてＢＬＥ  ビーコンまたはＮＦＣを用いた場合は、携帯情報端末がＩＤタグ読み取り時に専用アプリを自動的に起動できるので、専用アプリを利用者が起動する必要がなく、利用者はより簡便に決済システムを利用することができる。
【００２４】
また、利用者は、乗降車停留所の土地に不慣れであっても乗降停留所設定時に、路線情報、乗車料金、所要時間、時刻表等の付加情報を取得でき、降車時はアラーム音鳴動などで知らせてくれるので、安心かつ便利に本システムを利用することができる。
【図面の簡単な説明】
【００２５】
【図１】本実施形態に係るシステムの構成を模式的に示した図である。
【図２】本実施形態に係るサーバの機能構成を示した図である。
【図３】本実施形態に係る携帯情報端末の機能構成を示した図である。
【図４】本実施形態に係る決済に伴う処理の流れを示す図である。
【図５Ａ】本実施形態に係る携帯情報端末の画面例を示す図である。
【図５Ｂ】本実施形態に係る携帯情報端末の画面例を示す図である。
【図６】本実施形態に係る降車案内に伴う処理の流れを示す図である。
【図７Ａ】本実施形態に係る携帯情報端末の画面例を示す図である。
【図７Ｂ】本実施形態に係る携帯情報端末の画面例を示す図である。
【発明を実施するための形態】
【００２６】
以下、本発明の実施形態について、図面を参照して説明する。
【００２７】
図１は、本実施形態に係る公共交通システム１の構成を模式的に示した図である。
本公共交通システム１では、路線バスを対象とした乗車料金決済および降車停留所案内システムとしている。以下は、まず、決済システムについて説明し、降車案内システムについては後述する。
携帯情報端末１００は、本公共交通システム１に登録した利用者が携帯する携帯情報端末である。乗車および降車時に、本公共交通システム１の専用のアプリ１２０（図３参照）を用いて、車両３００に貼付されているＩＤタグ３２０の情報を読み取る。降車時には、サーバ２００からネットワーク４００を介して送信された決済情報確認メッセージを表示し、サーバ２００は利用者の登録情報及び口座情報に基づいて決済を実行する。携帯情報端末１００は、スマートフォン、タブレットなどであってよい。ＩＤタグ３２０は、車両の乗車口および運賃箱などの近くの利用者が視認しやすい位置に貼付され、利用者は携帯する携帯情報端末１００を用いて容易にＩＤタグ３２０を読み取ることができる。このＩＤタグ３２０には、本公共交通システム１に加盟している複数の交通事業者の交通事業者ＩＤおよび当該車両の車両ＩＤ情報が含まれている。ＩＤタグ３２０は、紙などに印刷したＱＲコードや、ＢＬＥのビーコンや、ＮＦＣとすることができる。
車載装置３１０は、車両３００に搭載されている装置で、マイク、スピーカ、ＧＰＳ装置等で構成され、サーバ２００は、この車載装置３１０との通信を介して車両の運行管理を行う。
車載装置に搭載されたＧＰＳにより車両の現在位置情報を取得することができる。この車載装置３１０のＧＰＳ装置は、本実施形態の位置情報取得手段を実現する。
交通事業者端末３５０は、サーバ２００にアクセスし運行情報、決済記録情報などを参照することができる。交通事業者端末３５０は、パソコン、タブレットなどであってよい。
サーバ２００は、専用のサーバまたはＡＷＳ（登録商標  Ａｍａｚｏｎ  Ｗｅｂ  Ｓｅｒｖｉｃｅｓ）など市販のクラウドサービスを利用してもよい。
【００２８】
図２は、本実施形態に係る公共交通システム１のサーバ２００の機能構成を示した図である。サーバ２００は、ＷＥＢアプリサーバ２１０およびデータベースサーバ２２０より構成されている。
ＷＥＢアプリサーバは、乗車料金決済機能、降車停留所案内機能、運行管理機能を実現するための各種アプリによって構成されている。本公共交通システム１を実現するためのアプリには、携帯情報端末１００との通信により得られたＩＤタグ情報である交通事業者ＩＤ、車両ＩＤに基づいて交通事業者及び車両を特定するバス特定アプリ２１１と、特定した交通事業者の車両情報と、車載装置３１０との通信により取得した車両の現在位置情報に基づいて路線情報から乗車停留所、降車停留所を特定する停留所特定アプリ２１２と、得られた乗降停留所情報に基づく運賃データと利用者の登録情報から利用者の乗車料金計算を行う乗車料金計算アプリ２１３と、利用者の登録情報および口座情報に基づいて決済処理を実行する決済実行アプリ２１４が含まれる。降車停留所案内機能用のアプリである乗降停留所設定アプリ２１５、降車停留所監視アプリ２１６、運行管理を行うアプリ群２１９も含まれている。
【００２９】
データベースサーバ２２０は、ＷＥＢアプリに必要となる各種データベースから構成されている。交通事業者情報を管理するバス事業者データベース２２１と、交通事業者ごとに保有する車両情報を管理するバス車両データベース２２２と、各交通事業者による運行路線の各停留所の名前、各停留所の位置情報などを含む路線情報を管理する路線情報データベース２２３と、各事業者による停留所情報と運賃額を管理する運賃データファイル２２４と、利用者が本公共交通システム１に登録する際に入力した登録情報を管理する利用者ファイル２２５と、利用者の口座情報を管理する口座情報ファイル２２６と、決済情報を記録した決済記録ファイル２２７が含まれる。
【００３０】
降車案内システムに用いる降車監視テーブル２２８、乗降停留所設定情報を記憶管理する乗降停留所設定ファイル２２９も含まれる。
【００３１】
バス事業者データベース２２１には、交通事業者の住所、電話番号、代表者名、金融機関口座情報などが含まれる。
バス車両データベース２２２には、ナンバープレート番号、交通事業者ＩＤ、型式等車両固有の情報などが含まれる。
路線情報データベース２２３には、路線内各停留所の名前、緯度経度などの位置情報、交通事業者ＩＤ、停留所間所要時間などが含まれる。
運賃データファイル２２４には、各停留所間の運賃区分に応じた運賃額の情報などが含まれる。
利用者ファイル２２５には、利用者の住所氏名、電話番号等の個人情報、認証情報、決済可情報、定期券、割引等の運賃区分情報などが含まれる。
口座情報ファイル２２６には、利用者氏名、金融機関名、口座番号、支払区分等の情報が含まれる。
決済記録ファイル２２７には、利用者氏名、決済日、金融機関名、口座番号、金額、交通事業者名などが含まれる。
【００３２】
降車監視テーブル２２８には、降車停留所名、降車停留所位置情報、車両現在位置情報、利用者乗車中情報、利用者携帯情報端末の電話番号などが含まれる。
乗降停留所設定ファイルには、乗車停留所、降車停留所、降車通知、利用者携帯情報端末の電話番号などが含まれる。
【００３３】
図３は、本実施形態に係る公共交通システム１の携帯情報端末１００の機能構成を示した図である。
携帯情報端末１００は、カーネル１１０と、それを構成する入力部１１１、表示部１１２、カメラ入力部１１３、ネットワークインタフェース部１１４、ＢＬＥ通信部１１５、およびＮＦＣ通信部１１６などと、カーネル１１０のもとで制御・実行されるアプリ１２０から構成される。
カーネル１１０は、ＯＳ（オペレーティングシステム）、各種ライブラリ群から成りアプリ１２０の実行を制御する。入力部１１１は、利用者によるパネル操作情報を入力する。表示部１１２はパネルに各種情報を表示する。カメラ入力部１１３は、搭載したカメラにより画像を取得する。ＱＲコードを直接読み込むのはカメラ入力部１１３である。ネットワークインタフェース部１１４は、ネットワーク４００を介して通信を行う。ＢＬＥ通信部１１５はＢＬＥ規格に基づく通信を実行し近接距離のビーコン信号を受信する。ＮＦＣ通信部１１６は、ＮＦＣ規格に基づく近距離通信を実行する。
アプリ１２０は、カーネル１１０の制御の下で各種機能を実現する。本公共交通システム１では専用のアプリ１２０が用意されている。専用のアプリ１２０がＩＤタグ読取手段を実現する。
ＩＤタグとしてＢＬＥビーコンまたは、ＮＦＣを用いた場合には、携帯情報端末１００をＩＤタグ３２０に近接させたときにＢＬＥ通信またはＮＦＣ通信により携帯情報端末１００が近接したことを検知することができ自動的に起動する専用のアプリ１２０を指定することができる。
【００３４】
図４は、本公共交通システム１における携帯情報端末１００、車載装置３１０、サーバ２００間における乗車料金決済に伴う処理の流れを示すフローチャートである。
図４における乗車料金決済処理は後払い方式に対応するものである。
ステップＳ１０１は、利用者が本公共交通システム１に登録する際に実行されるステップであり、利用者は、サーバ２００にアクセスし、サーバ２００から専用のアプリ１２０をダウンロードし保有する携帯情報端末１００にインストールする。ステップＳ１０２では、利用者は携帯情報端末１００のアプリ１２０を起動し、本公共交通システム１への登録作業を行う。利用者の氏名、住所、電話番号のほか決済可情報、口座情報など決済に必要な個人情報および認証情報を操作入力する。アプリ１２０はサーバ２００と通信を行い登録情報、口座情報を送信する。サーバ２００では、利用者ファイル、口座情報ファイルを新設し、管理する。この処理が本実施形態の口座情報記憶部を実現する。
利用者がバスを利用するとき、ステップＳ１０３では、アプリ１２０を起動し、認証作業をおこなう。ステップＳ１０４では、乗車時に車両に貼付されたＩＤタグ３２０（例えば、ＱＲコード）を携帯情報端末１００のアプリ１２０により読み取る。携帯情報端末のアプリ１２０は、読みとったＩＤタグの情報である交通事業者ＩＤ、車両ＩＤをサーバ２００に送信する。サーバ２００のバス特定アプリ２１１は、受信した交通事業者ＩＤおよび車両ＩＤに基づいて交通事業者、車両を特定する。この処理が本実施形態の交通車両特定部を実現する。
なお、ステップＳ１０３、およびステップＳ１０４は、ＩＤタグ３２０としてＱＲコードを用いた場合を説明したが、ＩＤタグ３２０としてＢＬＥまたはＮＦＣを用いた場合には、ステップＳ１０３は必要なく、ステップＳ１０４で利用者が携帯情報端末を用いてＩＤタグ３２０を読み取ろうとしたときに、携帯情報端末１００がＢＬＥまたはＮＦＣ信号を検知し自動的にアプリ１２０を起動できるので利用者による事前のアプリ１２０起動は必要がない。
つづいてステップＳ１０５では、サーバ２００の停留所特定アプリ２１２は車載装置３１０と通信を行い車両の現在位置情報を取得する。取得した車両の現在位置情報と路線情報に基づいて乗車停留所を特定する。この処理が本実施形態の停留所特定部を実現する。ステップＳ１０６において、サーバ２００の停留所特定アプリ２１２は携帯情報端末１００に確認メッセージを送信するとともに利用者が乗車したことをテーブルで記憶管理する。受信した携帯情報端末１００のアプリ１２０は乗車確認メッセージを表示する。乗車確認メッセージの内容は、停留所の名前、乗車中表示などである。利用者はこの乗車確認メッセージを求められればバスの運転手に提示する。
利用者が降車する際には、ステップＳ１０７において、携帯情報端末１００を用いて車両内に貼付されたＩＤタグ３２０を読み取り、携帯情報端末１００のアプリ１２０は得られたＩＤタグ情報である交通事業者ＩＤ、車両ＩＤをサーバ２００に送信する。受信したサーバのアプリは交通事業者、車両を特定するとともに、ステップＳ１０８において、サーバ２００の停留所特定アプリ２１２は、車載装置３１０と通信を行い車両の現在位置情報を取得し、路線情報に基づいて停留所を特定する。この処理が本実施形態の停留所特定部を実現する。記憶している乗車管理テーブルから当該利用者は乗車中であることが分かるので降車停留所であると判断する。ステップＳ１０９において、サーバ２００の乗車料金計算アプリ２１３は乗降車停留所、運賃データ及び利用者登録情報の運賃区分等に基づいて乗車料金の計算を行う。この処理が本実施形態の乗車料金計算部を実現する。利用者が事前に定期券を購入した場合には、その有効性の確認を行い、有効な場合は乗車料金計算、およびそれに基づく決済のステップは不要となる。定期区間以外を利用した場合は、普通乗車券としての乗車料金計算を行う。ステップＳ１１０において、サーバ２００の乗車料金計算アプリ２１３は、乗車料金を含む決済確認メッセージを携帯情報端末１００に送信する。受信した携帯情報端末のアプリ１２０はこの決済確認メッセージを表示する。ステップＳ１１１において、利用者は、決済情報を確認することができる。サーバ２００の決済実行アプリ２１４は、携帯情報端末１００からの確認通知を待って、利用者の登録情報および口座情報に基づいて決済を実行する。この処理が本実施形態の決済実行部を実現する。
【００３５】
前払い方式の場合は、固定運賃の場合も含めて、利用者が乗車時に車両に貼付されたＩＤタグ３２０を、携帯情報端末１００を用いて読み取った時点で乗車料金（定額）の決済を行う。降車時のＩＤタグ３２０の読み取りは不要となる。
【００３６】
図５Ａは、本実施形態の公共交通システム１における乗車時の確認メッセージを表示した画面例を示す図である。乗車停留所名、乗車中である旨のメッセージが携帯情報端末１００の画面に表示されている。
利用者は、この画面を乗車時に求められれば運転手に提示する。
【００３７】
図５Ｂは、本実施形態の公共交通システム１における降車時の決済確認メッセージを表示した画面例を示す図である。乗車停留所名、降車停留所名、乗車料金などが携帯情報端末１００の画面に表示されている。利用者は、この決済確認メッセージの内容を確認することができる。利用者は、降車時にＩＤタグ３２０を読み込み、決済を実行する。このとき同時にチャイム音を鳴らしても良い。利用者は、この画面を降車時に運転手に提示する。または提示を求められる場合がある。
【００３８】
図６は、本公共交通システム１における携帯情報端末１００、車載装置３１０、サーバ２００間における降車案内に伴う処理の流れを示す図である。
ステップＳ２０１は、利用者が本サービスを利用する際に実行する最初のステップである。利用者は、サーバ２００にアクセスし、サーバ２００から専用のアプリ１２０をダウンロードし保有する携帯情報端末１００にインストールする。ステップＳ２０２では、利用者は携帯情報端末１００のアプリ１２０を起動し、乗降車停留所設定を行う。画面の入力フィールドから入力乗車停留所及び降車停留所を一覧表示させ選択入力する。また、降車通知のチェックボックスが用意されている。アプリ１２０はサーバ２００と通信を行い、設定情報を送信する。サーバ２００では、設定された情報を記憶管理する。ステップＳ２０３では、サーバ２００は確認メッセージを携帯情報端末１００に送信し、携帯情報端末１００は受信した確認メッセージを表示する。確認メッセージには、入力した乗車停留所、降車停留所、降車通知の他に、路線情報、乗車料金、時刻表などの付加情報を含めてもよい。
利用者がバスを利用するとき、ステップＳ２０４では、携帯情報端末１００のアプリ１２０を起動し、認証作業を行う。ステップＳ２０５では、乗車時に車両に貼付されたＩＤタグ３２０（例えば、ＱＲコード）を携帯情報端末１００のアプリ１２０により読み取る。携帯情報端末のアプリ１２０は、読みとったＩＤタグ３２０の情報である交通事業者ＩＤ、車両ＩＤをサーバ２００に送信する。サーバ２００のバス特定アプリ２１１は、受信した交通事業者ＩＤおよび車両ＩＤに基づいて交通事業者、車両を特定する。この処理が本実施形態の交通車両特定部を実現する。
なお、ステップＳ２０４、およびステップＳ２０５は、ＩＤタグ３２０としてＱＲコードを用いた場合を説明したが、ＩＤタグ３２０としてＢＬＥまたはＮＦＣを用いた場合には、ステップＳ２０４は必要なく、ステップＳ２０５で利用者が携帯情報端末１００を用いてＩＤタグ３２０を読み取ろうとしたときに、携帯情報端末１００がＢＬＥまたはＮＦＣ信号を検知し自動的にアプリ１２０を起動できるので利用者による事前のアプリ１２０の起動は必要ない。
つづいてステップＳ２０６では、サーバ２００の停留所特定アプリ２１２は車載装置３１０と通信を行い車両の現在位置情報を取得する。取得した車両の現在位置情報と路線情報に基づいて乗車停留所を特定する。この処理が本実施形態の停留所特定部を実現する。ステップＳ２０７において、サーバ２００の停留所特定アプリ２１２は携帯情報端末１００に確認メッセージを送信するとともに利用者が乗車したことを降車監視テーブルで記憶管理する。受信した携帯情報端末１００のアプリ１２０は乗車確認メッセージを表示する。乗車確認メッセージの内容は、停留所の名前、乗車中表示などである。利用者はこの乗車確認メッセージを求められればバスの運転手に提示する。
ステップＳ２０８において、サーバ２００の停留所特定アプリ２１２は車載装置３１０と通信を行い車両の現在位置情報を受信しつつ、降車停留所が近接するのを監視する。ステップＳ２０９において、サーバ２００が降車停留所の近接を検知すると、ステップＳ２１０において、サーバ２００は、降車案内メッセージを携帯情報端末１００に送信する。受信した携帯情報端末のアプリ１２０は降車停留所近接のアラーム音を鳴動させる。ステップＳ２１１において、携帯情報端末１００は受信した降車案内メッセージを表示するとともに、サーバ２００に終了通知を行う。サーバ２００は、この終了通知を受けて監視テーブル、乗降停留所設定ファイルの更新など終了処理を行う。
【００３９】
図７Ａは、本実施形態の公共交通システム１における乗降車停留所設定時の画面例を示す図である。乗車停留所入力フィールド、降車停留所入力フィールド、降車通知のチェックボックス、および設定ボタンからなっている。入力フィールドには一覧表示ボタンがありこれを押下すると交通事業者が管理する路線情報から停留所の一覧が別画面またはプルダウンなどで表示される。この中から希望する停留所を選択する。
チェックボックスは必要に応じてチェックを入れる。選択入力が終了したら設定ボタンを押下する。
【００４０】
図７Ｂは、本実施形態の公共交通システム１における降車案内メッセージを表示した画面例を示す図である。「次はＢ停留所です。」、「運賃は２００円です。」などのメッセージが携帯情報端末１００の画面に表示されている。利用者は、この画面を降車時に運転手に提示する。または提示を求められる場合がある。
【００４１】
以上、本実施形態では、路線バスを対象とした公共交通システム１について説明してきたが、ほかの路面電車などの交通機関にも同様に適用することができる。
また、電車などで駅にＩＤタグを設置して車外で決済を行うシステムも構築可能である。
【００４２】
また、乗車料金決済と降車案内についてそれぞれ別に説明してきたが、利用者は、乗車料金決済サービスと降車停留所案内サービスとを単独または両方同時に利用することができる。
【００４３】
上述してきた実施形態では、車両の乗車口および運賃箱付近に貼付された１種類のＩＤタグ３２０を貼付して説明してきたが、一般に路線バス等では、乗車口（例えば、バス中央部）と降車口（例えば、バス前方の運転席近傍）は分かれている。このため、乗車口及び降車口に、利用者の乗車と降車を区別する２種類のＩＤタグ３２０を利用者の視認し易い位置に貼付することもできる。具体的には、ＩＤタグ３２０（ＩＤタグ情報）に、交通事業者ＩＤ、車両ＩＤに加え、利用者の乗車及び降車を区別した情報を付加してＩＤタグ情報を構成する。これにより、携帯情報端末１００のアプリ１２０でこの２種類のＩＤタグ３２０を読み取ってサーバ２００に送信することで、サーバ２００のＷＥＢアプリサーバ２１０において、利用者の乗車及び降車を確実に判別することができるとともに、乗車及び降車を判別する処理が不要となりサーバ２００の処置の負荷を軽減できる。
【００４４】
また、例えば、利用者が乗車口で携帯情報端末１００のアプリ１２０において、ＩＤタグ３２０の読み取りを忘れた場合でも、降車時に乗車した停留所を運転手に申告し、乗車した停留所を携帯情報端末１００のアプリ１２０に入力してサーバ２００に送信することにより、サーバ２００の乗車料金計算アプリ２１３において、乗降車停留所、運賃データ及び利用者登録情報の運賃区分等に基づいて乗車料金の計算を行い、サーバ２００の決済実行アプリ２１４を実行することで解決できる。
【００４５】
さらに、上述した車内に貼付されるＩＤタグ３２０とは別途に、利用者の乗車と降車を区別する２種類のＩＤタグを停留所の利用者が視認しやすい位置にそれぞれ貼付し、利用者が携帯情報端末１００のアプリ１２０で、この２種類のＩＤタグを読み取るようにすることもできる。具体的には、このＩＤタグ（ＩＤタグ情報）は、利用者の乗車した停留所及び降車した停留所をサーバ２００が判別できる情報を付加したＩＤタグ情報で構成される。これにより、例えば、本実施形態の位置情報取得手段である車載装置３１０のＧＰＳ装置が機能しない場合（例えば、故障等）でも、確実に携帯情報端末１００を用いた乗車料金の決済を行うことができる。なお、この場合は、ＧＰＳ装置が機能しないため、上述した降車案内メッセージとのサービスの提供はできない。
【００４６】
また、上述してきた実施形態では、サーバ２００のＷＥＢアプリサーバ２１０の決済実行アプリ２１４で携帯情報端末１００を用いた乗車料金の決済を行う公共交通システム１を説明してきたが、ＳＮＳ（Ｓｏｃｉａｌ  Ｎｅｔｗｏｒｋｉｎｇ  Ｓｅｒｖｉｃｅ）のＬｉｎｅ（登録商標）、Ｆａｃｅｂｏｏｋ（登録商標）、Ｔｗｉｔｔｅｒ（登録商標）等のチャットｂｏｔ機能を利用して、乗車料金の決済を行うこともできる。ここで、チャットｂｏｔとは、複数の利用者がリアルタイムにメッセージを送信すると自動で会話をしてくれるＡＩシステムである。１種類のＩＤタグ３２０の情報をチャットｂｏｔに送信することで携帯情報端末１００のアプリ１２０と同等機能を実現することが可能となる。
【００４７】
この場合は、サーバ２００は、従来の機能に加え上述したチャットｂｏｔと連携する機能を有するものである。このように、近年需要の多いＳＮＳを利用した乗車料金の決済や降車案内のサービスを行う公共交通システム１とすることで、特に若年層に対してシステムの普及を図ることができ、新たしい公共交通システム１を構築することが可能となる。
【００４８】
また、本実施形態の公共交通システム１で説明したのは一例に過ぎず、本発明の趣旨の範囲内で様々な変形があり得ることは言うまでもない。
【符号の説明】
【００４９】
１      公共交通システム
１００  携帯情報端末
１１０  カーネル
１１１  入力部
１１２  表示部
１１３  カメラ入力部
１１４  ネットワークインタフェース部
１１５  ＢＬＥ通信部
１１６  ＮＦＣ通信部
１２０  アプリ
２００  サーバ
２１０  ＷＥＢアプリサーバ
２１１  バス特定アプリ
２１２  停留所特定アプリ
２１３  乗車料金計算アプリ
２１４  決済実行アプリ
２１５  乗降停留所設定アプリ
２１６  降車停留所監視アプリ
２１９  運行管理アプリ群
２２０  データベースサーバ
２２１  バス事業者データベース
２２２  バス車両データベース
２２３  路線情報データベース
２２４  運賃データファイル
２２５  利用者ファイル
２２６  口座情報ファイル
２２７  決済記録ファイル
２２８  降車監視テーブル
２２９  乗降停留所設定ファイル
３００  車両
３１０  車載装置
３２０  ＩＤタグ
３５０  交通事業者端末
４００  ネットワーク
【図１】
2020161137.tif 000003
【図２】
2020161137.tif 000004
【図３】
2020161137.tif 000005
【図４】
2020161137.tif 000006
【図５Ａ】
2020161137.tif 000007
【図５Ｂ】
2020161137.tif 000008
【図６】
2020161137.tif 000009
【図７Ａ】
2020161137.tif 000010
【図７Ｂ】
2020161137.tif 000011